(57)【要約】      （修正有）【課題】従来のヘルメットのかさばりをなくす為の手段として伸縮自在に可動することでコンパクトにもなる伸縮自在な防災用安全帽の提供。【解決手段】従来のヘルメット状を、複数の扇状形の帽体の一部分になるように切断したこれらの帽体一部分を、前後及び上下に可動するように部分的に重ね合わせて連結することで従来のヘルメットの形状になる。前後及び上下の可動を必要とするための手段は、扇状形の帽体一部分の夫々に穴や突起物等を必要とする適宜箇所に設けた伸縮自在な防災用安全帽。【選択図】図１
0003135832.tif 000002
【実用新案登録請求の範囲】
【請求項１】
伸縮を目的として、前面体と後面体の二面体の一部分を連結し一対とした帽体で、安全帽としての機能が十分発揮できる伸縮自在な防災用安全帽。
【請求項２】
従来のヘルメットの２分の１以上５分の３以内の形状である二面体の夫々の端側の一部分を重ね合せ、この重ね合せた下部付近の一部分に係止を目的とし、又、振子動作が可能となる合体用軸を用いて前面部と後面部の二面の帽体が上下及び前後に自在に作動できるように重ね合せた伸縮自在な防災用安全帽。
【考案の詳細な説明】
【技術分野】
【０００１】  帽体の全体の面積を小さくすることで、容積面積も少なくなり、保管上や持ち運びが便利になる。
【背景技術】
【０００２】  振子動作を応用するため、既存のヘルメットの２分の１強の大きさの帽体面を二個用い、これらの二面体を振子動作でもって扇状や半円状形になるように支点軸を設けたものである。
【考案の開示】
【考案が解決しようとする課題】
【０００３】  従来のヘルメットの帽体面を２分の１強の帽体面にし、これらの帽体面を二個用い、振子動作が可能になるように、これらの帽体の端側下部の適宜箇所に重ね合せ且つ、支点とする合体軸を設けるものである。
【課題を解決するための手段】
【０００４】  前０００３項の記述で振子動作が可能となるが、この動きを一時的に固定する機能がないと、伸び縮みが自由自在となり安全帽として使用ができないし、且つ、コンパクトにして吊した状態での保管が不能になるので、必要に応じるための一時的に固定する装備具を以下のとおり設けるものである。【０００５】  二個の帽体面が半円状になるように、一時的に固定する機能として、前部帽体に突起をつけた一時固定装備を設け、後部帽体には前述の突起をつけた一時固定装備を密着させるための一時固定装備挿入穴を設けることで一時的な固定は可能となる。【０００６】  二個の帽体面が扇状形で一時的に固定する機能として、前部帽体に後部帽体を一時固定するための仮固定装備を設け、後部帽体には前述の仮固定装備に定着させる引掛け具を設けることで一時的な固定は可能となる。【０００７】  保管上の吊り下げ機能としては、後部帽体の後部側下部の適宜位置に保管用の引掛け装備を設けることで吊り下げ保管が可能となる。
【考案の効果】
【０００８】  半円状の２分の１程度の扇状形になることで、保管の際にはコンパクトで容積が小さくなり、美観上も保全できる利点があり、又、使用者の持ち運び上も便宜で、梱包上も容積が小さくなり便宜で有益性に富み、安全帽の機能が十分発揮できる伸縮自在な防災用安全帽となる。
【考案を実施するための最良の形態】
【０００９】  本考案は、従来のヘルメットをコンパクト化する目的手段である。
図面を基に以下のとおり記述します。
まず、既存のヘルメットの帽体形状の２分の１強の扇状の帽体を二個用いるもので、この二面体のそれぞれの帽体を前部面と後部面の帽体として、前部帽体（Ａ）と後部帽体（Ｂ）のそれぞれの片方の端側の一部分を重ね合せ、この重なった部分の下部適宜位置に振子動作が可能にするための係止を目的とする合体用軸（イ）でもって、上下及び前後に作動できるように取り付ける。尚、この合体用軸の一方には合体用軸外頭（ロ）を設け、もう片方は合体用軸内頭（ハ）を設けたことで、重ね合せた二面の帽体が完全に合体することになる。尚、合体用軸を用いるための装備とする穴として、前部帽体には合体用装備円状穴と後部帽体には合体用装備帯状穴を設ける。【００１０】  次に、安全帽として使用する場合、従来のヘルメットの機能と同様の機能が当然必要で、前部帽体と後部帽体を完全に一時固定させる機能として、前部帽体に後部帽体を密着するための後部帽体一時固定装備（チ）を設け、この装置を定着させるための装備として、後部帽体の適宜位置に後部帽体一時固定装備挿入穴（リ）を設けることで安全帽の機能が発揮できる。【００１１】  次に、保管上からコンパクトにし一時固定させる機能として、前部帽体の前部分の適宜箇所にヘッドバンドを係止をも可能にしたヘッドバンド係止兼用後部帽体仮固定装備（ヘ）を設け、この装備に定着させるための装具として、後部帽体の適宜箇所に後部帽体引掛け具を設けることでコンパクトの維持可能となる。【００１２】  最後に、保管上において簡単な保管の最適な方法として、吊るしての保管が一般に多く用いているもので、本考案も吊し方法とする保管手段を取り入れることで最適と判断し、後部帽体の後部の下部分の適宜箇所に、保管用引掛け装備（ヌ）を設けることで美観的観点からの保管が可能となる。
【図面の簡単な説明】
【００１３】
【図１】  全体側面図
【図２】  正面断面図
【図３】  正面断面図
【図４】  部分断面図
【図５】  部分断面図
【図６】  部分側面図
【図７】  部分側面図
【符号の説明】
【００１４】  （Ａ）  前部帽体
（Ｂ）  後部帽体
（ａ）（ｂ）  帽体突起部
（ｃ）  帽体外側厚み肉部
（ｄ）  帽体内側厚み肉部
（イ）  合体用軸
（ロ）  合体用軸外頭
（ハ）  合体用軸内頭
（ニ）  合体用装備円状穴
（ホ）  合体用装備帯状穴
（ヘ）  ヘッドバンド係止兼用後部帽体仮固定装備
（ト）  後部帽体引掛け具
（チ）  後部帽体一時固定装備
（リ）  後郎帽体一時固定装備挿入穴
（ヌ）  保管用引掛け装備
【図１】
0003135832.tif 000003
【図２】
0003135832.tif 000004
【図３】
0003135832.tif 000005
【図４】
0003135832.tif 000006
【図５】
0003135832.tif 000007
【図６】
0003135832.tif 000008
【図７】
0003135832.tif 000009
【手続補正書】
【提出日】平成19年4月11日(2007.4.11)
【手続補正１】
【補正対象書類名】実用新案登録請求の範囲
【補正対象項目名】全文
【補正方法】変更
【補正の内容】
【実用新案登録請求の範囲】
【請求項１】
既存のヘルメットの帽体の形状になるように、前部帽体  （Ａ）の形状として、既存のヘルメットの中央部付近の側面を前部より５分の３前後のの扇状形になるように後部に向かって一直線上に切断した帽体面と、後部帽体  （Ｂ）の形状として、既存のヘルメットの中央部付近の側面を後部より５分の３前後の扇状形になるように前部に向かって一直線上に切断した帽体面の二ツの帽体面とする成型物を、適宜に重ね合せ組立てる伸縮自在な防災用安全帽。
【請求項２】
請求項１記述の、二面の帽体の成型物である前部帽体  （Ａ）と後部帽体  （Ｂ）の夫々の片方の端側の一部分を重ね合せ、この重ね合った部分の側面下部の前部帽体面の適宜箇所に、振子動作に必要な支点となる合体用軸（イ）を通すための合体用装備円状穴（ニ）を設け、後部帽体面には合体用装備帯状穴（ホ）を設けて、前記述の合体用軸（イ）を通すことで、必要に応じての振子動作を可能にした伸縮自在な防災用安全帽。
【請求項３】
振子動作を一時的停止又は一時的固定するための装備として、前部帽体  （Ａ）及び後部帽体  （Ｂ）の二面の帽体の重なり合う前部帽体面の半円形状の頂点部の端側付近に後部帽体面を一時固定するための帯状の突起物である後部帽体一時固定装備（チ）を設け、一方の重なり合う後部帽体面半円形状の頂点部の端側付近には前部帽体面に設けた後部帽体一時固定装備とする突起物を嵌入するための後部帽体一時固定装備挿入穴（リ）を設けることで、前部帽体面と後部帽体面を振子動作でもって回転作動させ、既存のヘルメットの帽体形状になった時点で、前記述の帯状の突起物である後部帽体一時固定装備（チ）が後部帽体一時固定装備挿入穴（リ）に嵌まることとなり振子動作が一時的に停止し、且つ一時的に固定され、安全帽の機能として発揮する伸縮自在な防災用安全帽。
【請求項４】
前部帽体  と後部帽体  の二ツの帽体面を振子動作の作動により、合体状態に重ね合せて一時的に固定するための装備として、前部帽体面の内側先端付近の中央部の箇所にＬ字形状のヘッドバンド係止兼用後部帽体仮固定装備（ヘ）を設け、もう一方の後部帽体面の頂上部の端側付近で、且つ、後部帽体一時固定装備挿入穴の外側付近部にはコの字形状の後部帽体引掛け具（ト）を設け、この後部帽体引掛け具をヘッドバンド係止兼用後部帽体仮固定装備に引掛けることで、二ツの帽体面が合体状態で重なりあって一時的に固定され、保管面での便宜さと美観を考慮しコンパクト化できる伸縮自在な防災用安全帽。
【手続補正書】
【提出日】平成19年6月21日(2007.6.21)
【手続補正１】
【補正対象書類名】実用新案登録請求の範囲
【補正対象項目名】全文
【補正方法】変更
【補正の内容】
【実用新案登録請求の範囲】
【請求項１】
ヘルメットの帽体の形状を対象として、側面から見て、二分割程度の大きさの扇状にした二ツの帽体を一対とし、この二ツの帽体を振子作動ができるように、振子動作の支点となる合体用軸（イ）を通すための装備として、前部帽体本体（Ａ）の左右の側面の下部付近の箇所で、扇状の角付近となる位置部分に、合体用装備円状穴（ニ）を設け、一方の後部帽体本体（Ｂ）の左右の側面の下部付近の箇所で、扇状の角付近となる位置部分には、合体用装備帯状穴（ホ）を設け、二ツの帽体それぞれを、前部帽体本体（Ａ）を上面側として後部帽体本体（Ｂ）を下面側になるように重ね合せ、前述の合体用装備円状穴（ニ）と合体用装備帯状穴（ホ）の左右それぞれが貫通状態にして、左右それぞれの穴に合体用軸（イ）を取付け、振子作動を可能にした伸縮自在な防災用安全帽。
【請求項２】
安全帽として着用した状態を維持する目的とし、前請求項１の振子動作を一時的に固定する装備として、前部帽体本体（Ａ）及び後部帽体本体（Ｂ）の二ツの帽体が重なり合う一部分である前部帽体本体面の半円形状の頂点より前方方向に向かう状態で設けた、形状自在な横ぶれ防止のための帽体突起部（ａ）の先端に、若干突き出た状態で、前部帽体本体面と平衡になるように上部表面の一部分に形状自在な突起を設けた後部帽体一時固定装備（チ）を設け、もう一方の重なり合う一部分である後部帽体本体面の帽体内側厚み肉（ｄ）の半円形状の頂点より後方方向に向かう状態で設けた形状自在な横ぶれ防止のための帽体突起部（ｂ）の先端より内側の適宜箇所に、前部帽体本体に設けた後部帽体一時固定装備（チ）を嵌入する目的のための後部帽体一時固定装備挿入穴（リ）を設け、これらの装備の機能の働きと、後部帽体本体面の帽体外側厚み肉部（ｃ）と前部帽体本体面の帽体外側厚み肉部（ｃ）の機能により、前部帽体及び後部帽体の一部分が重なり合った状態で一時的に固定でき安全帽として着用できる請求項１記載の伸縮自在な防災用安全帽。
【請求項３】
保管上の便宜さとなるコンパクト化の維持を目的とし、一時的に固定させるための装備として、後部帽体本体（Ｂ）に設けている後部帽体一時固定装備挿入穴（リ）の外側の適宜箇所に、後部帽体本体面より突き出た状態となるように、形状自在な後部帽体引掛け具（ト）を設け、一方の前部帽体本体（Ａ）の先端の内側の中央部箇所に設ける形状自在なヘッドバンド係止兼用後部帽体仮固定装備（ヘ）に、後部帽体引掛け具（ト）を引掛けることで、前部帽体及び後部帽体の二ツの帽体面が重なり合ってコンパクトになった状態で一時的に固定できる請求項１記載の伸縮自在な防災用安全帽。
【請求項４】
コンパクトになった状態で保管が簡単にできるための装備として、後部帽体本体（Ｂ）の後方先端の内側の中央部付近の箇所に形状自在な保管用引掛け装備（ヌ）を設けた請求項１記載の伸縮自在な防災用安全帽。